(57)【要約】【課題】構造が簡単で、しかも、施錠効果の高い施錠装置を提供する。【解決手段】施錠装置１１はオス部材１２とメス部材１３から成る。オス部材１２は軸部２１を有し、軸部２１の雄ネジ部２４に当接部２２が螺合されている。メス部材１３はホルダー３１と押え板３３との間にバネ板３２を挟みこんだ構造を有している。バネ板３２は湾曲した額縁状部３９の内周部に対向する一対の食込片４１を備えており、バネ板３２の開口に軸部２１を挿通し、ホルダー３１と押え板３３の間でバネ板３２をほぼ扁平に押し広げると、食込片４１が軸部２１に食い込んで軸部２１が抜け止めされると共にバネ板３２の弾性力によって食込片４１が軸部２１に食い込んだ状態にバネ板３２が自己保持される。当接部２２を回転させて後退させると、オス部材１２がメス部材１３から外れる。【選択図】図６
2008142110.tif 000002
【特許請求の範囲】
【請求項１】
オス部材とメス部材とを係合させることによって施錠する施錠装置であって、
前記オス部材は、軸部と、前記軸部に設けられた雄ネジ部に雌ネジ部を螺合され回動することによって前記軸部の長さ方向に移動可能となった当接部とを有し、
前記メス部材は、前記軸部を挿通させる貫通孔を有し、かつ前記当接部が当接可能となった第１の部材と、前記軸部が挿入される空間を有する第２の部材と、前記第１の部材と前記第２の部材の間に配置された湾曲形状のバネ部材とを有し、
前記バネ部材は前記軸部の通過する開口を有し、当該開口の縁から複数片の食込片が突出しており、前記バネ部材に負荷が加わっていない状態においては前記食込片間の空間を前記軸部が自由に挿通可能であり、前記バネ部材が前記第１の部材と第２の部材の間で圧締されると前記食込片間の空間に挿通された前記軸部を前記食込片が噛み込むように構成された施錠装置。
【請求項２】
前記食込片が前記軸部の外周面を噛み込んだ状態においては、前記バネ部材の弾性復帰力によって前記食込片の噛み込み状態が自己保持されることを特徴とする、請求項１に記載の施錠装置。
【請求項３】
前記当接部を錠前の可動部分と連動して回転させるようにした、請求項１から２のいずれか１項に記載の施錠装置。
【請求項４】
前記当接部と前記錠前の可動部分とを索条体により繋いで前記当接部と前記華道部を連動させるようにした、請求項３に記載の施錠装置。
【請求項５】
前記当接部が前記軸部の先端方向へ向けて移動する向きに回転するように前記当接部を弾性的に付勢する弾性付勢手段を備えた、請求項１から４のいずれか１項に記載の施錠装置。
【請求項６】
前記バネ部材及び前記第１の部材は、前記第２の部材の表面に立てたガイドピンによって前記軸部の挿入方向と平行な方向に移動可能に保持されていることを特徴とする、請求項１から５のいずれか１項に記載の施錠装置。
【請求項７】
前記メス部材は、前記オス部材の軸部が挿入されているか、あるいは挿入されていないかを検知するための検知手段を備えていることを特徴とする、請求項１から６のいずれか１項に記載の施錠装置。
【請求項８】
請求項１から７のいずれか１項に記載の施錠装置を備えた遊技機。
【発明の詳細な説明】
【技術分野】
【０００１】
本発明は、主としてスロットマシンやパチンコ台等の遊技機に用いる施錠装置に関し、特に、後付けの可能な施錠装置に関する。
【背景技術】
【０００２】
スロットマシンやパチンコ台等の遊技機は、主としてマシン本体と扉とから構成されており、例えばスロットマシンでは、遊技に関する制御を行なうための回路基板、払い出し用のコインを入れたホッパーなどがマシン本体内に収納され、表示部や遊技用ボタン、コインの受け皿などが扉に設けられている。扉は、マシン本体に蝶着されていて片開きとなっており、扉とマシン本体との間には、扉を閉じて施錠するための施錠機構が設けられている。
【０００３】
上記施錠機構にあっては、扉の内面に上下スライド可能な連結桿が取付けられており、連結桿に設けた複数箇所のフックをマシン本体の鈎受部に引っ掛けることによって施錠できる構造となっている。また、シリンダ錠に差し込んだキーを回すと、連結桿が上方または下方へスライドしてフックが鈎受部から外れ、施錠機構が解錠される。従って、通常はシリンダ錠に差したキーを回して施錠機構を解除しなければ、遊技機の扉を開くことができない。
【０００４】
しかし、このような遊技機にあっても、不正行為により施錠機構が解除され、扉が開かれることがあった。すなわち、扉とマシン本体との隙間から針金やセルロイド板などが差し込まれると、針金やセルロイド板などを操作して連結桿を動かすことができ、それによってキーを用いることなくフックを鈎受部から解除することができる。このようにして不正行為によって扉を開き、遊技機内のコインを盗んだり、遊技機内部の制御回路に細工を施したりする事件が多発しており、その対策が必要とされている。
【０００５】
このような不正行為を防止するための補助用の施錠装置としては、特許文献１や特許文献２に開示されたものがある。この施錠装置はマシン本体にオス部材を取付け、シリンダ錠の先端にメス部材を設けたものである。メス部材の内部には、前記オス部材の軸部を挿入するためのテーパー孔が形成されていて軸部挿入側でテーパー孔が狭くなっている。そして、テーパー孔の内側両面にボール（係合部材）を配設し、ボールをスプリングによって軸部挿入側へ付勢している。
【０００６】
そして、施錠状態においては、メス部材のテーパー孔に挿入された軸部を両側からボールで掴んでいる。また、軸部にメス部材から引き抜こうとする力が加わると、ボールがテーパー孔によって軸部により強く押圧されることになり、軸部がメス部材に強く掴まれてオス部材とメス部材が分離するのが阻止される。
【０００７】
【特許文献１】特開２００６−４３０９７号公報
【特許文献２】特開２００６−６１１８２号公報
【発明の開示】
【発明が解決しようとする課題】
【０００８】
しかしながら、特許文献１や特許文献２に開示されている施錠装置では、施錠時にメス部材によりオス部材の軸部を掴む保持力が十分でなく、特に軸部やボールに油分が付着したり、振動が加わったりした場合には、不用意にオス部材とメス部材が分離して解錠する恐れがあった。
【０００９】
本発明は上記のような従来例に鑑みてなされたものであり、その目的とするところは、構造が簡単で、しかも、施錠効果の高い施錠装置を提供することにある。
【課題を解決するための手段】
【００１０】
このような目的を達成するために、本発明の施錠装置は、オス部材とメス部材とを係合させることによって施錠する施錠装置であって、前記オス部材は、軸部と、前記軸部に設けられた雄ネジ部に雌ネジ部を螺合され回動することによって前記軸部の長さ方向に移動可能となった当接部とを有し、前記メス部材は、前記軸部を挿通させる貫通孔を有し、かつ前記当接部が当接可能となった第１の部材と、前記軸部が挿入される空間を有する第２の部材と、前記第１の部材と前記第２の部材の間に配置された湾曲形状のバネ部材とを有し、前記バネ部材は前記軸部の通過する開口を有し、当該開口の縁から複数片の食込片が突出しており、前記バネ部材に負荷が加わっていない状態においては前記食込片間の空間を前記軸部が自由に挿通可能であり、前記バネ部材が前記第１の部材と第２の部材の間で圧締されると前記食込片間の空間に挿通された前記軸部を前記食込片が噛み込むように構成されたことを特徴としている。
【００１１】
本発明の施錠装置にあっては、オス部材の軸部をメス部材に挿入するだけでオス部材の軸部をメス部材の食込片で噛み込んで施錠することができ、また当接部材を軸部に沿って後退させるだけで食込片を軸部から解除して簡単に解錠することができる。しかも、施錠状態において無理にオス部を引っ張ってオス部材とメス部材とを分離させようとすると、食込片が軸部に強く食い込むので、ますます解錠しにくくなり、施錠効果に優れている。
【００１２】
しかも、本発明の施錠装置は、構造が簡単であり、安価に製造することができる。それにも拘わらず、バネ部材の食込片を軸部に食い込ませて施錠する構造となっているので、油の付着や振動にも強く、信頼性の高い施錠装置を製作することができる。
【００１３】
本発明にかかるある実施態様の施錠装置は、前記食込片が前記軸部の外周面を噛み込んだ状態においては、前記バネ部材の弾性復帰力によって前記食込片の噛み込み状態が自己保持されることを特徴としている。かかる実施態様によれば、施錠状態を保つためにバネ部材を変形状態に保つための機構が必要ないので、本発明の施錠装置の構造をより簡略にすることができる。
【００１４】
本発明にかかる別な実施態様の施錠装置にあっては、前記当接部を錠前の可動部分と連動して回転させるようにしたことを特徴としている。かかる施錠装置によれば、キーを用いて錠前を解錠しなければ本発明の施錠装置を解錠できないので、防犯性がより一層向上する。また、前記当接部と前記錠前の可動部分とをチェーンやワイヤ等の索条体により繋いで前記当接部と前記華道部を連動させるようにすれば、オス部材やメス部材の設置位置が錠前位置によって規制されにくくなるので、遊技機等における施錠装置の設置位置の自由度が高くなる。
【００１５】
本発明にかかるさらに別な実施態様の施錠装置にあっては、前記当接部が前記軸部の先端方向へ向けて移動する向きに回転するように前記当接部を弾性的に付勢する弾性付勢手段を備えたことを特徴としている。かかる実施態様によれば、当接部を回して施錠装置を解錠した後、当接部が弾性付勢手段によって自然に元の位置に復帰させられるので、人手により当接部を元の位置に戻す手間が省ける。
【００１６】
本発明にかかるさらに別な実施態様の施錠装置にあっては、前記バネ部材及び前記第１の部材は、前記第２の部材の表面に立てたガイドピンによって前記軸部の挿入方向と平行な方向に移動可能に保持されている。かかる実施態様によれば、簡単な構造により第１の部材とバネ部材を第２の部材に保持させることができる。
【００１７】
本発明にかかるさらに別な実施態様の施錠装置においは、前記メス部材が、前記オス部材の軸部が挿入されているか、あるいは挿入されていないかを検知するための検知手段を備えているので、不正に解錠された場合には、直ちに検知手段によって検知することができ、防犯性を高めることができる。
【００１８】
また、本発明の施錠装置は用途を限定されるものではないが、特に遊技機の施錠装置または補助施錠装置として用いるのに適している。
【発明を実施するための最良の形態】
【００１９】
以下、図面を参照しながら本発明の実施形態について詳細に説明する。
【００２０】
（実施形態１）
本発明にかかる施錠装置１１は、主としてオス部材１２、メス部材１３及び解除機構１４からなる。図１は、オス部材１２と解除機構１４の構造を示す側面図、図２及び図３はその正面図である。また、図５の一部にはオス部材１２の分解斜視図を示す。まず、図１〜図３に従ってオス部材と解除機構１４について説明する。
【００２１】
オス部材１２は、図５に示すように、軸部２１と当接部２２とからなる。軸部２１は丸棒状をした被食込部２３の後ろに雄ネジ部２４を形成されたものであり、被食込部２３の先端は円錐台状に形成されていてテーパー部２５となっている。
【００２２】
当接部２２の外周面は外径の異なる２つの円柱部分を持ち、前部が比較的小さな径の小径部２６となり、後部が比較的大きな径の鍔部２７となっている。また、当接部２２の内周面には雌ネジ部２８が形成されており、この雌ネジ部２８内に軸部２１の雄ネジ部２４を挿通させて雄ネジ部２４と雌ネジ部２８を螺合させてある。よって、当接部２２を回動させることによって当接部２２を軸部２１の長さ方向に沿って移動させられるようになっている。
【００２３】
このオス部材１２は、図１に示すように、軸部２１の後端部を取付金具１５によって遊技機の扉内面の適宜箇所に固定されている。図１では、袋ナット１６を用いて雄ネジ部２４の後端部を取付金具１５に固定している。
【００２４】
また、解除機構１４は、遊技機の扉内面に固定された軸受け５１によって回転板５２を回転自在に支持したものであり、回転板５２は扉に設けられたシリンダ錠１７の回転部分１８に連結されている。よって、シリンダ錠１７に差したキーを回してシリンダ錠１７を施解錠すると、その回転部分１８と共に回転板５２が回動する。また、図２及び図３に示すように、回転板５２の外周部にはカム状の切欠き５３が設けられており、扉内面に固定されたピン５４が当該切欠き５３内を通過している。よって、回転板５２を回したとき、回転板５２は切欠き５３の縁がピン５４に当たって止まり、一定角度でのみ回転する。
【００２５】
解除機構１４は、オス部材１２と連結するためのチェーン５５（ワイヤでもよい。）を有しており、チェーン５５の一端は回転板５２の外周部に固定され、チェーン５５の他端はオス部材１２の当接部２２の適宜箇所に固定されている。チェーン５５は通常の状態では、図２に示すように小径部２６の外周面に若干巻き取られた状態になっている。これに対し、シリンダ錠１７を操作して回転板５２を回転させると、図３に示すように、チェーン５５で当接部２２の外周面が引っ張られて当接部２２が回転し、当接部２２は雄ネジ部２４によって軸部２１に沿って後方へ移動する。
【００２６】
また、オス部材１２の鍔部２７外周部と扉の適宜箇所との間には、チェーン５５で引っ張られて回転した当接部２２を元の角度に引き戻すようにして引張バネ５６が張設されている。よって、図３のようにチェーン５５で引っ張られて回転し、後方へ移動した当接部２２は、回転板５２を回していた力が除かれると、引張バネ５６によって元の方向へ引っ張られ、当接部２２が元の方向へ回転して軸部２１に沿って前方へ移動する。
【００２７】
よって、オス部材１２及び解除機構１４は上記のような構造を有し、互いにチェーン５５で連結されているので、回転板５２を強制的に回転させると、図６に２点鎖線で示すように、当接部２２が回転しながら軸部２１に沿って後退し、また回転板５２に加えていた力を除くと、当接部２２が回転しながら軸部２１に沿って前進する。
【００２８】
メス部材１３は遊技機の本体に取り付けられており、扉を閉じたときにオス部材１２と結合してオス部材１２の軸部２１を噛み込むようになっている。図４はオス部材１２とメス部材１３を示す側面図、図５はその分解斜視図、図６はそれらが互いに結合した状態の断面図である。
【００２９】
メス部材１３は、図５に示すように、ホルダー３１（第２の部材）、バネ板３２、押え板３３（第１の部材）、複数本（２本）のガイドピン３４によって構成されている。ホルダー３１は金属材料によってブロック状に形成されており、その中央部には前記軸部２１を挿入することのできる円柱状の挿入孔３５が設けられている。挿入孔３５は前後に貫通した貫通孔でもよく、背面が塞がった袋状穴であってもよい。また、挿入孔３５の前端部において、ホルダー３１の前面には皿状の凹部３６を形成している。符号３７はガイドピン３４を取付けるためのピン取付孔である。各ガイドピン３４は、一部がピン取付孔３７から飛び出るようにしてピン取付孔３７に立てられており、押え板３３を抜け止めするための頭部３８を有している。ガイドピン３４はピン取付孔３７に圧入されていてもよいが、図示例ではネジ構造によってピン取付孔３７に取り付けている。ネジ構造にすれば、ガイドピン３４の突出長の調整を容易に行えるためである。
【００３０】
バネ板３２は鋼のようなバネ材によって形成されており、額縁状部３９の開口４０の内周両端には食込片４１が延出している。額縁状部３９は、食込片４１を結ぶ方向（以下、この方向を上下方向ということがある。）に沿って弓なりに湾曲しており、中央部が背面側（ホルダー３１側）へ向けて突曲している。額縁状部３９の開口４０内で対向している２つの食込片４１は、先端が額縁状部３９よりも後方へ突出するよう基部を屈曲させている。食込片４１の先端の辺はＶ字状に形成されており、直線状に形成した場合よりも軸部２１への食い込み箇所が増加するようにしている。対向する食込片４１の先端の辺の間には、軸部２１を通過させるための空間が空いている。また、額縁状部３９の、ホルダー３１のピン取付孔３７と対向する位置には、上下方向に長い長孔４２が開口されている。
【００３１】
図６に示すように、バネ板３２はホルダー３１の前面に配置され、長孔４２に遊挿されたガイドピン３４によって支持されている。食込片４１は少なくともその先端部分がホルダー３１の凹部３６に納まるようになっている。
【００３２】
図５に示すように、押え板３３はホルダー３１の前面と同じ形状をした金属板であって、中央部には軸部２１を回転自在に挿通させるための円形の軸貫通孔４３が開口している。また、押え板３３の、ホルダー３１のピン取付孔３７と対向する位置には、ガイドピン３４の軸部よりも大きく、かつガイドピン３４の頭部３８よりも小さな遊び孔４４があいている。
【００３３】
図４及び図６に示すように、押え板３３はバネ板３２の前面に配置され、遊び孔４４に遊挿されたガイドピン３４によって支持されている。よって、バネ板３２と押え板３３は、ガイドピン３４の軸方向に動くことができるような状態でガイドピン３４に保持されており、バネ板３２はホルダー３１の前面と押え板３３との間に挟み込まれている。
【００３４】
図７（ａ）（ｂ）及び図８（ａ）（ｂ）は、施錠装置１１のオス部材１２とメス部材１３とを結合させて施錠する際の動作を表わした断面図である。オス部材１２をメス部材１３に近づけて軸部２１を軸貫通孔４３に挿入しようとすると、図７（ａ）に示すように、テーパー部２５が軸貫通孔４３に嵌まることによって軸部２１がガイドされる。
【００３５】
さらに、軸部２１を押し込むと、図７（ｂ）に示すように、軸部２１はバネ板３２の食込片４１間の空間を通過して挿入孔３５内に挿入され、当接部２２の端が押え板３３の前面に当たる。このときには、バネ板３２が湾曲していて、図１０に示すように、食込片４１間の空間は軸部２１の直径と等しいか、それよりも広くなっているので、軸部２１はスムーズにバネ板３２を通過する。
【００３６】
さらに、力を加えてオス部材１２を押し込むと、図８（ａ）に示すように、当接部２２によって押え板３３が押されて後退し、バネ板３２がホルダー３１と押え板３３との間に挟み込まれて扁平に押し潰される。バネ板３２が扁平に押し潰されると、図１０に想像線（２点鎖線）で示すように、食込片４１の先端が開口４０の中心側へ伸びて食込片４１の先端間の距離が短くなり、食込片４１の先端が軸部２１の外周面に食い込む。
【００３７】
こうして図８（ｂ）に示すように、扁平に押し潰されたバネ板３２の食込片４１が軸部２１の外周面にいったん食い込むと、オス部材１２を押し込む力が除かれても、バネ板３２の弾性復帰力によって食込片４１が軸部２１に食い込んだ状態が維持され、軸部２１がバネ板３２に掴まれて抜けなくなる。そして、バネ板３２はガイドピン３４によってホルダー３１に保持されているから、オス部材１２とメス部材１３が結合されて施錠状態となる。
【００３８】
図９（ａ）（ｂ）は施錠装置１１を解錠してオス部材１２とメス部材１３を分離させる際の動作を表わした断面図である。前記のようにシリンダ錠１７を回して解錠すると、それに伴って回転板５２が回転し、チェーン５５で引かれて当接部２２が回転し、図９（ａ）に示すように当接部２２が軸部２１に沿って後退する。当接部２２が前進していた状態では、図６に示すようにバネ板３２が扁平に延びていて食込片４１が軸部２１を噛み込んだ状態に自己保持されているが、図６に想像線で示すように当接部２２だけが後退すると、当接部２２の先端と食込片４１との距離が広がるので、扁平に延びていたバネ板３２が解放されて湾曲形状に復帰し、食込片４１が軸部２１から外れる。よって、オス部材１２を引っ張ると、軸部２１がメス部材１３から抜けだし、図９（ｂ）に示すように、施錠装置１１は解錠される。
【００３９】
上記施錠装置１１の施解錠の原理を、図１１により詳しく説明する。図１１はバネ板３２が扁平に変形した形状と湾曲形状に復帰した後の形状を側面から見た模式図であって、太実線はバネ板３２が扁平に変形しているときの形状を示し、想像線は当接部２２の後退時の位置とバネ板３２が元の形状に復帰した後の形状を示す。また、変形前の形状と変形後の形状とは食込片４１の基部Ｏを一致させて描いており、円ｒは食込片４１の基部Ｏを中心とする、半径が食込片４１の長さに等しい円である。当接部２２とホルダー３１の間に挟まれているバネ板３２では、太実線で示すように額縁状部３９が扁平に押し潰されているので、食込片４１は上下方向に対して小さな角度θ２となっており、食込片４１の先端間の距離が短くなって食込片４１の先端が軸部２１の外周面を噛み込んでいる。しかも、この状態ではバネ板３２の額縁状部３９は食込片４１と当接部２２（押え板３３）の間に挟みこまれていて元の湾曲形状に戻ることができないため、バネ板３２は軸部２１を掴んだ状態に保持されている。
【００４０】
これに対し、図１１に想像線で示すように、当接部２２が回転して後退すると、軸部２１に食い込んでいる食込片４１と当接部２２（押え板３３）の間の空間が広がるので、バネ板３２の額縁状部３９が湾曲形状に弾性復帰する。こうしてバネ板３２が湾曲形状に弾性復帰すると、食込片４１が上下方向に対して成す角度がθ１に大きくなり、食込片４１の先端間の距離が広がる。その結果、軸部２１に食い込んでいた食込片４１が軸部２１から外れ、オス部材１２がメス部材１３から抜けるのである。
【００４１】
上記施錠装置１１は家屋のドアや収納庫などにおいて単独の施錠装置として用いることもできるが、スロットマシンやパチンコ台などの遊戯機の補助用の施錠装置として用いるのにも好適である。図１２は、上記施錠装置１１をスロットマシン６１の補助施錠装置として用いた場合を表わしている。スロットマシン６１の扉６２には、キー６３を差して回すことにより施解錠することのできるシリンダ錠１７が取り付けられており、キー６３を回したときに回転するシリンダ錠１７の回転部分１８に解除機構１４が連結されている。
【００４２】
また、扉６２内面の適宜箇所にはオス部材１２が取り付けられており、解除機構１４の回転板５２とオス部材１２の当接部２２はチェーン５５によって繋がれている。また、図１に示したように、メス部材１３はゴムシート６４を介してスロットマシン６１のマシン本体６５の内部に固定されている。このゴムシート６４は、オス部材１２とメス部材１３とを結合させて施錠する際の衝撃を吸収すると共に、オス部材１２とメス部材１３の取付位置誤差を吸収する働きをしている。
【００４３】
一方、スロットマシン６１は、図１３に示すような施錠機構７１を備えている。符号６８は、マシン本体６５内の上部及び下部に固定された金属製の鈎受部６７に引っ掛けて扉６２を施錠するためのフックであって、回転軸７０によって扉６２内面に回動自在に取り付けられている。連結桿６６は扉６２の内面（例えば、扉６２の内部に設けられた金属製フレーム）に上下方向に沿って摺動可能に取り付けられており、フック６８の基部をピン６９によって連結桿６６に回動自在に結合することにより上下のフック６８を連結桿６６を介してリンク結合している。
【００４４】
このようなスロットマシン６１においては、扉６２のシリンダ錠１７にキー６３を差し込んで回すと、連結桿６６がスライドして上下のフック６８が連動して回転し、フック６８が鈎受部６７から外れて施錠機構が解錠される。同時に、シリンダ錠１７に差し込んだキー６３を回すことによって施錠装置１１も解錠されるので、扉６２を開くことができる。
【００４５】
また、キー６３を元の位置に戻すと、施錠装置１１の当接部２２が元の位置に戻り、フック６８も元の位置に戻る。この後扉６２を閉めると、フック６８の傾斜面が鈎受部６７に当たることによってフック６８が回動し、フック６８が鈎受部６７に係合して施錠機構７１が施錠される。同時に、シリンダ錠１７に取り付けられているオス部材１２の軸部２１がメス部材１３に嵌り込み、オス部材１２とメス部材１３が結合されて施錠装置１１が施錠される。
【００４６】
こうして施錠された状態では、スロットマシン６１の施錠機構７１によって施錠されると共に補助用の施錠装置１１も施錠されているので、スロットマシン６１の施錠がより確実になる。しかも。扉６２とマシン本体６５との間の隙間から針金やセルロイド板などを挿入してフック６８や連結桿６６を動かして施錠機構７１を解錠したとしても、施錠装置１１はこのような方法では解錠することができないので、スロットマシン６１の扉６２を開くことはできない。また、施錠装置１１は、無理に引っ張って解錠しようとすると、食込片４１がますます強く軸部２１に食い込んで開かなくなるので、不正行為により解錠することが困難であり、結局キー６３でシリンダ錠１７を回して解錠する以外方法がない。  
【００４７】
また、この実施形態では、施錠機構７１に取り付けた解除機構１４とオス部材１２とをチェーン５５で繋ぐ構造となっているので、オス部材１２の取り付け位置の自由度が大きくなり、オス部材１２の設置位置の制約が緩和される。
【００４８】
なお、この実施形態では、シリンダ錠に回転板を取り付け、チェーン等を介して当接部２２を回して軸部方向に移動させるようにしたが、当接部を直接シリンダ錠の回転部分に取り付けるようにしても差し支えない。
【００４９】
（実施形態２）
図１２は本発明の実施形態２による施錠装置８１の構造を示す断面図である。実施形態２の施錠装置８１は、施錠装置８１の施錠状態及び解錠状態を検知するための検知センサ８２を備えている。検知センサ８２は、挿入孔３５の下面から挿入孔３５内に突出するボール８３とボール８３の下に配置されたリミットスイッチ８４によって構成されている。しかして、軸部２１を挿入孔３５に挿入すると、軸部２１によってボール８３が押し下げられるのでリミットスイッチ８４がオンになり、施錠状態が検知される。また。挿入孔３５から軸部２１が抜かれると、ボール８３が挿入孔３５内に飛び出てリミットスイッチ８４がオフになるので、解錠状態が検知される。よって、リミットスイッチ８４の出力を監視することによって施錠装置１１の施錠状態と解錠状態を監視でき、不正に施錠装置１１が解錠された場合には、例えば警報を発するようにでき、より防犯性を高めることができる。
【００５０】
なお、上記実施形態においては、ホルダー３１と押え板３３との間には１枚のバネ板３２を挟み込んでいたが、この間に複数枚のバネ板３２を重ねて挟み込むようにしてもよい。バネ板３２の枚数を増やすことによって軸部２１を噛み込んで掴む力を大きくすることができる。
【図面の簡単な説明】
【００５１】
【図１】図１は、本発明の実施形態１による施錠装置のオス部材と解除機構を示す側面図である。
【図２】図２は、同上のオス部材と解除機構の通常の状態を示す正面図である。
【図３】図３は、同上のオス部材と解除機構における解錠状態を示す正面図である。
【図４】図４は、実施形態１におけるオス部材とメス部材を示す側面図である。
【図５】図５は、同上のオス部材とメス部材の分解斜視図である。
【図６】図６は、同上のオス部材とメス部材が結合した状態を示す断面図である。
【図７】図７（ａ）（ｂ）は、実施形態１の施錠装置のオス部材とメス部材とを結合させて施錠する動作を表わした断面図である。
【図８】図８（ａ）（ｂ）は、図７（ａ）（ｂ）の続図である。
【図９】図９（ａ）（ｂ）は、実施形態１の施錠装置を解錠する動作を表わした断面図である。
【図１０】図１０（ａ）（ｂ）は、バネ板の変形前の形状と変形後の形状を模式的に表わした正面図である。
【図１１】図１１は、バネ板の食込片が軸部を掴んだり、解放したりする様子を模式的に説明する断面図である。
【図１２】図１２は、実施形態１の施錠装置をスロットマシンの補助施錠装置として用いた例を示す側面図である。
【図１３】図１３は、スロットマシンの施錠機構を示す概略図である。
【図１４】図１４は、本発明の実施形態２による施錠装置の構造を示す断面図である。
【符号の説明】
【００５２】
１１      施錠装置
１２      オス部材
１３      メス部材
１４      解除機構
２１      軸部
２２      当接部
２４      雄ネジ部
２８      雌ネジ部
３１      ホルダー
３２      バネ板
３３      押え板
３９      額縁状部
４１      食込片
５２      回転板
５５      チェーン
５６      引張バネ
７１      施錠機構
８１      施錠装置
８２      検知センサ
８３      ボール
８４      リミットスイッチ
【図１】
2008142110.tif 000003
【図２】
2008142110.tif 000004
【図３】
2008142110.tif 000005
【図４】
2008142110.tif 000006
【図５】
2008142110.tif 000007
【図６】
2008142110.tif 000008
【図７】
2008142110.tif 000009
【図８】
2008142110.tif 000010
【図９】
2008142110.tif 000011
【図１０】
2008142110.tif 000012
【図１１】
2008142110.tif 000013
【図１２】
2008142110.tif 000014
【図１３】
2008142110.tif 000015
【図１４】
2008142110.tif 000016